【事件の表示】
　特許第６１４６８７３号発明「喫煙品用のパック」の特許異議申立事件について、次のとおり決定する。
【結　論】
　特許第６１４６８７３号の請求項１〜２４に係る特許を維持する。
【理　由】
１．手続の経緯 
　特許第６１４６８７３号（以下、「本件特許」という。）の請求項１〜２４に係る特許についての出願は、平成２１年１１月１９日（パリ条約による優先権主張　外国庁受理　平成２０年１２月２２日　米国）を国際出願日とする特願２０１１−５４１２７０号の一部を、平成２６年１０月９日に新たな特許出願としたものであって、平成２９年５月２６日にその特許権の設定登録がされ、その後、その特許に対し、特許異議申立人山▲崎▼浩一郎（以下、「申立人」という。）により特許異議の申立てがされたものである。
　
２．本件発明
　本件特許の請求項１〜２４に係る発明（以下、「本件発明１〜２４」という。）は、それぞれ、その特許請求の範囲の請求項１〜２４に記載された事項により特定される、以下のとおりのものである。
「【請求項１】
　パックを形成するように構成された前部及び後部に位置する２つの大きい平面パネルと、両側部に位置する２つの小さい平面パネルとを備えた喫煙品用のパックであって、
　前記２つの大きい平面パネルの少なくとも一方が、その外表面から外側に突出する互いに間隔をおいて配置された複数の突起を含み、
　前記突起によって前記パックの前記１つ以上のパネルの表面との間に隙間を介した外側包装材をさらに備え、
　前記突起が規則的配列に配置されており、
　前記突起が略円形の凸形状であり、
　前記突起における前記パネルの厚さが、前記突起同士の間の領域における前記パネルの厚さよりも大きい、喫煙品用のパック。
【請求項２】
　前記２つの大きい平面パネルの両方が前記突起を含む、請求項１に記載のパック。
【請求項３】
　前記両側部に位置する小さい平面パネルが前記突起を含む、請求項１または２に記載のパック。
【請求項４】
　上部パネルおよび底部パネルをさらに備えており、前記上部パネルが前記突起を備える、請求項１〜３のいずれか１項に記載のパック。
【請求項５】
　上部パネルおよび底部パネルをさらに備えており、前記底部パネルが前記突起を備える、請求項１〜４のいずれか１項に記載のパック。
【請求項６】
　蓋を備える上部パネルをさらに備える、請求項１〜５のいずれか１項に記載のパック。
【請求項７】
　前記蓋が押し上げ式の蓋である、請求項６に記載のパック。
【請求項８】
　前記パックがシート材料から組み立てられており、前記突起が、前記シート材料の層の厚み中に形成される、請求項１〜７のいずれか１項に記載のパック。
【請求項９】
　前記シート材料が厚紙を含む、請求項８に記載のパック。
【請求項１０】
　前記突起が前記１つ以上のパネルの表面領域の実質的に全体に形成される、請求項１〜９のいずれか１項に記載のパック。
【請求項１１】
　前記突起が前記１つ以上のパネルの表面領域の一部のみに形成される、請求項１〜９のいずれか１項に記載のパック。
【請求項１２】
　前記突起が前記１つ以上のパネルの対応する外面と内面との両方から突出する、請求項１〜１１のいずれか１項に記載のパック。
【請求項１３】
　前記１つ以上のパネルが５〜２０００個の突起を備える、請求項１〜１２のいずれか１項に記載のパック。
【請求項１４】
　前記突起が１０〜１０００個である、請求項１３に記載のパック。
【請求項１５】
　前記突起が５０〜７５０個である、請求項１４に記載のパック。
【請求項１６】
　前記突起の全てが同一の距離だけ前記１つ以上のパネルの対応する表面から突出する、請求項１〜１５のいずれか１項に記載のパック。
【請求項１７】
　前記突起が前記１つ以上のパネルの表面に規則正しい行列で配置される、請求項１〜１６のいずれか１項に記載のパック。
【請求項１８】
　前記パックの内部に内側フレームをさらに備える、請求項１〜１７のいずれか１項に記載のパック。
【請求項１９】
　前記パックが前記内側フレームの一部を露出する切り欠き部を含む前部パネルを備える、請求項１８に記載のパック。
【請求項２０】
　前記内側フレームの前記露出部にマークまたは図形が印刷されている、請求項１９に記載のパック。
【請求項２１】
　前記パックの前端部が斜面、曲面、または直角である、請求項１〜２０のいずれか１項に記載のパック。
【請求項２２】
　喫煙品を収容する、請求項１〜２１のいずれか１項に記載のパック。
【請求項２３】
　前記喫煙品が紙巻きタバコを含む、請求項２２に記載のパック。
【請求項２４】
　前部及び後部に位置する２つの大きい平面パネル部と、両側部に位置する２つの小さい平面パネル部とを備えるブランクから喫煙品用のパックを組み立てる方法であって、
　前記２つの大きい平面パネル部の少なくとも一方に、その外表面から外側に突出する互いに間隔をおいて配置された複数の突起を形成するステップと、
　前記パックが喫煙品で充填された後に外側包装材内に前記パックを包装するステップと、
　熱を利用して前記パック上の前記外側包装材を密封するステップであって、前記外側包装材は、前記複数の突起によって前記外表面との間に隙間を介する、ステップと
を含み、
　前記突起が規則的配列に配置されており、
　前記突起が略円形の凸形状であり、
　前記突起における前記パネルの厚さが、前記突起同士の間の領域における前記パネルの厚さよりも大きい、方法。」
　
３．申立理由の概要
　以下、「甲第１号証」等を「甲１」等といい、「甲第１号証に記載された発明」等を「甲１発明」等といい、「甲第１号証に記載された事項」等を「甲１記載事項」等という。
　申立人は、証拠として、以下の甲１〜甲１２を提出し、
（１）本件発明１〜９、１２〜１６、１８、及び２１〜２３は、（１−１）甲１発明、甲２記載事項、甲３記載事項、甲４記載事項及び周知技術、あるいは、（１−２）甲９発明、甲２記載事項、甲３記載事項、甲４記載事項及び周知技術、あるいは、（１−３）甲３発明及び周知技術に基き、当業者が容易に発明をすることができたものであり、
（２）本件発明１０は、（２−１）甲１発明、甲２記載事項、甲３記載事項及び周知技術、あるいは、（２−２）甲９発明、甲２記載事項、甲３記載事項及び周知技術に基き、当業者が容易に発明をすることができたものであり、
（３）本件発明１１は、（３−１）甲１発明、甲２記載事項、甲４記載事項及び周知技術、あるいは、（３−２）甲９発明、甲２記載事項、甲４記載事項及び周知技術に基き、当業者が容易に発明をすることができたものであり、
（４）本件発明１７は、（４−１）甲１発明、甲３記載事項、甲４記載事項及び周知技術、あるいは、（４−２）甲９発明、甲３記載事項、甲４記載事項及び周知技術、あるいは、（４−３）甲３発明及び周知技術に基き、当業者が容易に発明をすることができたものであり、
（５）本件発明１９及び２０は、（５−１）甲１発明、甲２記載事項、甲３記載事項、甲４記載事項、甲１０記載事項及び周知技術、あるいは、（５−２）甲９発明、甲２記載事項、甲３記載事項、甲４記載事項、甲１０記載事項及び周知技術、あるいは、（５−３）甲３発明及び甲１０記載事項に基き、当業者が容易に発明をすることができたものであり、
（６）本件発明２４は、（６−１）甲１発明、甲１記載事項、甲２記載事項、甲３記載事項、甲４記載事項、甲９記載事項及び周知技術、あるいは、（６−２）甲９発明、甲２記載事項、甲３記載事項、甲４記載事項、甲９記載事項及び周知技術、あるいは、（６−３）甲３発明、甲１記載事項、甲９記載事項、甲１１記載事項、甲１２記載事項及び周知技術に基き、当業者が容易に発明をすることができたものであり、
特許法第２９条第２項の規定に違反するものであるから、本件発明１〜２４に係る特許は、特許法第１１３条第２号に該当し、取り消すべきものである旨主張している。
　
（証拠一覧）
甲１：特開平８−５３１７５号公報
甲２：特開２００４−２０５７６８号公報
甲３：意匠登録第１０６７９３９号公報
甲４：意匠登録第１０６７９３８号公報
甲５：特許２９４７７９５号公報
甲６：特開２００２−２４９１０６号公報
甲７：国際公開第２００５／０６６０２９号
甲８：特表２００５−５１８９９８号公報
甲９：特開２００６−５６６０３号公報
甲１０：特表２００２−５２１２８０号公報
甲１１：特開２００６−２２５００４号公報
甲１２：特開２００３−２０５９２８号公報
　
４．甲１〜甲１２の記載事項
（１）甲１
　甲１には、以下の甲１発明が記載されている（【０００４】、【０００９】〜【００１３】、【００１６】、図３及び図４参照）。
「包装容器を形成するように構成された前部に位置するボックス前壁１４及び後部に位置するボックス後壁１５と、両側部に位置するボックス側壁１６とを備えた、煙草用のヒンジ蓋付き包装容器。」
　
（２）甲２
　甲２には、以下の事項が記載されている。
「【０００１】
【発明の属する技術分野】
本発明は、清涼飲料水、乳飲料、ビール、ワイン、栄養ドリンク、調味料、化粧品などに使用されるプラスチックボトル、ガラス瓶、金属缶等の容器の表面に付けるラベルおよびそれを用いたラベル付容器に関するものである。
さらに詳しくは、優れた触感性を付与すると共に、断熱性を感覚的に付与することもでき、持ち運びやすく、優れた緩衝性、意匠性を持たせたラベル、および、それを用いて製造されたラベル付容器に関するものである。」
「【００１２】
次に、本発明において、上記のような本発明にかかるラベル、ラベル付容器等を構成する材料、その製造方法等について説明すると、本発明に係るラベル１０を構成する基材フィルム層１としては、紙、不織布、布、各種のプラスチックフィルム、発泡フィルム、あるいは、これらを任意に積層した積層体等を用いることができ、その厚さはその基材によって異なるが、１０〜２５０μｍ程度のものが好ましい。・・・」
「【００２１】
上記の触感付与層２をラベルの表面にコーティングする印刷方法のパターンとしては、例えば、図５に示すような点状のパターンや、図６に示すような格子状のパターン、線状、布目状のパターン等、凸部が形成できるようなパターンであれば特に限定はされない。
また、このパターンを形成する点や格子の大きさ、ピッチ等も適宜変更することができるものである。」
「【００３５】
・・・本発明のラベル付き容器においては、従来の平滑な表面のラベルと比べ、加熱して販売される場合においても、消費者等が、手に持った場合、ラベルに断熱性を感覚的に付与することもできるという利点を有するものである。・・・」
　
（３）甲３
　甲３には、以下の甲３発明が記載されている（【意匠に係る物品】、【正面図】、【背面図】、【右側面図】、【左側面図】、【Ａ−Ａ断面図】、【開蓋斜視図】参照）。
「前部及び後部に位置する２つの平面パネルと、両側部に位置する２つの側面パネルと、蓋部を備えた包装容器であって、
　前部の平面パネルのほぼ全域にわたって、両側が円弧状の横長突部が縦５列、横８行に配置された、包装容器。」
　
（４）甲４
　甲４には、以下の事項が記載されている（【意匠に係る物品】、【正面図】、【背面図】、【右側面図】、【左側面図】、【Ａ−Ａ断面図】参照）。
「前部及び後部に位置する２つの平面パネルと、両側部に位置する２つの側面パネルとを備えた包装容器であって、
　前部の平面パネルの右半分の領域全体に、両側が円弧状の横長突部が縦６列、横１１行に配置された、包装容器。」
　
（５）甲５
　甲５には、以下の事項が記載されている。
「【００２４】・・・外包機にて、シガレットパックＰはフィルムシートにより更に包装される。」
　
（６）甲６
　甲６には、以下の事項が記載されている。
「【０００２】
【従来の技術】例えば、シガレットのソフトパックは先ず内包材に２０本のフィルタシガレットを包み込んで内包体とし、この内包体をさらにフィルムシートにより包装して得られている。・・・」
「【００１３】
・・・これらヒートシーラ２０は対応する開口１８を通じて各胴シール位置Ｐ１，Ｐ２にあるポケット１２に対して接離運動し、後述するように胴フラップをヒートシーする。」
　
（７）甲７
　甲７には、以下の事項が記載されている（訳文は、申立人の提出した抄訳による。）。
「Referring to FIG. 6, a film 70 is wrapped around the package 50 and the sleeve 100. 」（「図６に示すように、フィルム７０は、パッケージ５０およびスリーブ１００の周りに巻き付けられる。」）（５頁２５行〜２６行）
　
（８）甲８
　甲８には、以下の事項が記載されている。
「【００１０】
・・・該フィルム包装機は、シガレットパック４８を外装フィルムまたはプラスチックブランクで包むという処理を有する。・・・」
「【００１６】
・・・フィルムで包装されたシガレットパック４８は、第１ヒータ５１および第２ヒータ５２に沿ってガイドされ、第１ヒータ５１は、シガレットボックス４８を封入するフィルムの長手方向の継ぎ目をシールするために設けられており、また第２ヒータ５２は、蓋およびフィルム包装の基部をシールするために設けられている。・・・」
　
（９）甲９
　甲９には、以下の甲９発明が記載されている（【０００１】、【００１１】、【００１８】及び図２参照）。
「たばこ品のパッケージを形成するように構成された前部に位置する広い側壁８及び後部に位置する広い側壁９と、両側部に位置する二つの狭い側壁１０とを備え、広い側壁８に設けられているマーキング１５がエンボス加工した要素を含む、箱。」
　
（１０）甲１０
　甲１０には、以下の事項が記載されている。
「【０００１】
　本発明は、喫煙用物品のためのパックに関している。」
「【００２８】
　前方パネル２２に対するカラーパネル２７のＺ字状の折り畳み及びサブパネル３８、３９の折り畳み戻りが、「窓」４２の形成をもたらすことが認められる。この「窓」は、カラーパネル２７によって裏打ちされ、蓋部１４の前方パネル１６の下方端縁によって、その上方端縁で効果的に閉じられる。この窓は、全ての側でパックの前方パネルによって囲まれている。窓４２の３つの側方を規定する折り畳み端縁と蓋部の折り畳み下方端縁の存在は、窓を通してカラーパネル２７を見る時、へこんだ特性を与える。カラーパネル２７は、言葉、ロゴ、他のグラフィクス等の、その上に印刷された要素（matter）を有し得る。この印刷は、パックの主要パネルの印刷と同時になされ得る。これによって、要求される時のカラーマッチ（同一）が保証され、印刷要素の窓内での正確な位置が保証される。」
　
（１１）甲１１
　甲１１には、以下の事項が記載されている。
「【０００５】
・・・万線パターン加飾が施された紙容器を提供するものである。」
「【０００６】
　本発明の請求項１は、
　印刷が施されたこの板紙上に、万線パターンを施したエンボス用の凹版を加熱及び加圧により押圧し、この板紙表面に万線パターンの表面加飾を施す加工において、前記板紙表面に、耐熱インキによる模様等の印刷層と耐熱耐圧離型ニスが設けられていることを特徴とする万線パターン加飾が施された紙容器である。」
「【００１４】
・・・また、図２は、本発明の一実施例における万線パターン凹版を加熱、加圧により板紙上に押圧して万線パターンを形成した板紙を示す断面説明図である。」
「【００２５】
　本発明の加飾された板紙から、紙製容器、例えば贈答用の化粧箱、用品等を収納するケース等、その他、装飾に用いる板状製品等、広範囲の紙製品にも使用することが可能である。」
　
（１２）甲１２
　甲１２には、以下の事項が記載されている。
「【０００９】本発明の請求項２に記載の表面エンボス仕様の紙製容器は、請求項１に記載の表面エンボス仕様の紙製容器において、円筒状などの胴面板２０の積層紙材料の表面側に、積層紙材料の内面側を平滑に保持した状態でエンボス加工を施したことを特徴とする表面エンボス仕様の紙製容器である。」
「【００１０】・・・図１Ｃに示す積層紙材料の内面側を平滑に保持した状態で、凹凸の高低差が５０〜１００μｍ程度のエンボス加工を施したことによって、３００μｍ程度の紙材料層３が５０〜１００μｍ程度のエンボス加工の凹凸を吸収して、内面側の１２μｍ程度のバリアー層４や６０μｍ程度のシーラント層５などがエンボス加工の影響を受け難いために、各種のバリアー性や熱圧着時の密封性などを損なう恐れがない表面エンボス仕様の紙製容器を提供することができる。」
「【００１６】
【発明の実施の形態】本発明の表面エンボス仕様の紙製容器における、円筒状などの胴面板２０の積層紙材料の表面側に、エンボス加工を施す方法については、少なくとも紙材料層３の表面側に、樹脂フィルム層２を積層して成る、円筒状に成形する胴面板２０の、長方形状に切断する前の巻取り状の積層紙材料製のブランクを、表面側を金属製のマット状のエンボスロールに、また内面側を金属製の平滑な受けロールに、それぞれ強く接触させて熱圧着しながら通過させる、通常のエンボスロールを用いる方法などで、図１Ｃに示す積層紙材料の内面側を平滑に保持した状態で、凹凸の高低差が５０〜１００μｍ程度の、例えば和紙に似たマット状のエンボス加工を、特に制約なく適宜に施すことができる。」
「【００２１】次に、円筒状に成形する胴面板２０の、この巻取り状の積層紙材料製のブランクを、表面側を金属製の和紙に似たエンボス形状を彫刻したマット状のエンボスロールに、また内面側を金属製の平滑な受けロールに、それぞれ強く接触させて熱圧着しながら通過させて、図１Ｃに示す積層紙材料の内面側を平滑に保持した状態で、凹凸の高低差が５０〜１００μｍ程度の、和紙に似たマット状のエンボス加工を施した後に、縦横が１２０×１９６ｍｍの長方形状に切断して、この長方形状の積層紙材料製のブランクを、金属製の円柱状の成形バーに巻付けて、左右の端部どうしを熱圧着して、積層紙材料の表面側にマット状のエンボス加工を施した胴面板２０を、図１Ａに示す６０ｍｍφの円筒状に成形した。」
　
５．判断
（１）甲１発明を主たる引用例とする理由について
ア　本件発明１について（理由１−１）
　本件発明１と甲１発明とを対比すると、少なくとも以下の点で相違する。
　
＜相違点１＞本件発明１は、パックの「２つの大きい平面パネルの少なくとも一方が、その外表面から外側に突出する互いに間隔をおいて配置された複数の突起を含み、前記突起によって前記パックの前記１つ以上のパネルの表面との間に隙間を介した外側包装材をさらに備え、前記突起が規則的配列に配置されており、前記突起が略円形の凸形状」であるのに対して、甲１発明は、そのような突起や外側包装材を有さない点。　
　
　相違点１を検討する。甲２には、ラベル付容器に設けられる円形の凸部について、甲３、甲４には、凸部を有する包装容器について記載され、シガレットパックを外装フィルムで包むことが、甲５〜甲８に記載されているように周知技術であるとしても、相違点１に係る構成のうちの、パックの２つの大きい平面パネルの少なくとも一方が、その外表面から外側に突出する互いに間隔をおいて配置された複数の突起を含み、前記突起によって前記パックの前記１つ以上のパネルの表面との間に隙間を介した外側包装材をさらに備えた点は、甲１〜甲４に記載されていないし、その点が周知であることを示す証拠は、示されていない。
　そして、本件発明１は、相違点１に係る構成を有することにより、「本発明のパックでは、突起１８が、包装材をパネルの表面から浮かせて、それらの間に空隙を形成」し、「パック内部に収容された喫煙品に伝わる熱も減少し、熱により、パックに収容された喫煙品の品質に何らかの悪影響が及ぼされることは著しく制限される。」（本件特許明細書【００４４】）という作用効果を奏するものである。
　よって、本件発明１は、甲１発明、甲２記載事項、甲３記載事項、甲４記載事項及び周知技術に基いて当業者が容易に発明をすることができたものではない。
　
イ　本件発明２〜９、１２〜１６、１８、及び２１〜２３について（理由１−１）
　本件発明２〜９、１２〜１６、１８、及び２１〜２３は、本件発明１の発明特定事項を全て含むものであるから、本件発明１と同様の理由により、本件発明２〜９、１２〜１６、１８、及び２１〜２３は、甲１発明、甲２記載事項、甲３記載事項、甲４記載事項及び周知技術に基いて当業者が容易に発明をすることができたものではない。
　
ウ　本件発明１０について（理由２−１）
　本件発明１０は、本件発明１の発明特定事項を全て含むものであるから、本件発明１と同様の理由により、本件発明１０は、甲１発明、甲２記載事項、甲３記載事項及び周知技術に基いて当業者が容易に発明をすることができたものではない。
　
エ　本件発明１１について（理由３−１）
　本件発明１１は、本件発明１の発明特定事項を全て含むものであるから、本件発明１と同様の理由により、本件発明１１は、甲１発明、甲２記載事項、甲４記載事項及び周知技術に基いて当業者が容易に発明をすることができたものではない。
　
オ　本件発明１７について（理由４−１）
　本件発明１７は、本件発明１の発明特定事項を全て含むものであるから、本件発明１と同様の理由により、本件発明１１は、甲１発明、甲３記載事項、甲４記載事項及び周知技術に基いて当業者が容易に発明をすることができたものではない。
　
カ　本件発明１９及び２０について（理由５−１）
　本件発明１９及び２０は、本件発明１の発明特定事項を全て含むものであるから、本件発明１と同様の理由により、本件発明１９及び２０は、甲１発明、甲３記載事項、甲４記載事項、甲１０記載事項及び周知技術に基いて当業者が容易に発明をすることができたものではない。
　
キ　本件発明２４について（理由６−１）
　本件発明２４と甲１発明とを対比すると、少なくとも以下の点で相違する。
　
＜相違点２＞本件発明２４は、パックの「２つの大きい平面パネル部の少なくとも一方に、その外表面から外側に突出する互いに間隔をおいて配置された複数の突起を形成するステップと、前記パックが喫煙品で充填された後に外側包装材内に前記パックを包装するステップと、熱を利用して前記パック上の前記外側包装材を密封するステップであって、前記外側包装材は、前記複数の突起によって前記外表面との間に隙間を介する、ステップとを含み、前記突起が規則的配列に配置されており、前記突起が略円形の凸形状」であるのに対して、甲１発明は、そのような突起や外側包装材を有さない点。　
　
　相違点２を検討する。相違点２に係る構成のうち、パックの２つの大きい平面パネル部の少なくとも一方に、その外表面から外側に突出する互いに間隔をおいて配置された複数の突起を形成するステップと、前記パックが喫煙品で充填された後に外側包装材内に前記パックを包装するステップと、熱を利用して前記パック上の前記外側包装材を密封するステップであって、前記外側包装材は、前記複数の突起によって前記外表面との間に隙間を介する、ステップとを含む点は、甲１〜甲４に記載されていないし、その点が周知であることを示す証拠は、示されていない。
　そして、本件発明２４は、相違点２の構成を有することにより、「本発明のパックでは、突起１８が、包装材をパネルの表面から浮かせて、それらの間に空隙を形成」し、「パック内部に収容された喫煙品に伝わる熱も減少し、熱により、パックに収容された喫煙品の品質に何らかの悪影響が及ぼされることは著しく制限される。」（本件特許明細書【００４４】）という作用効果を奏するものである。
　よって、本件発明２４は、甲１発明、甲１記載事項、甲２記載事項、甲３記載事項、甲４記載事項及び周知技術に基いて当業者が容易に発明をすることができたものではない。
　
（２）甲９発明を主たる引用例とする理由について
ア　本件発明１について（理由１−２）
　本件発明１と甲９発明とを対比すると、少なくとも以下の点で相違する。
　
＜相違点３＞本件発明１は、パックの「２つの大きい平面パネルの少なくとも一方が、その外表面から外側に突出する互いに間隔をおいて配置された複数の突起を含み、前記突起によって前記パックの前記１つ以上のパネルの表面との間に隙間を介した外側包装材をさらに備え、前記突起が規則的配列に配置されており、前記突起が略円形の凸形状」であるのに対して、甲９発明は、広い側壁８に設けられているマーキング１５がエンボス加工した要素を含むものの、そのような突起や外側包装材を有さない点。　
　
　相違点３を検討する。相違点３は、上記（１）アの相違点１と実質的に同じであるから、相違点１の判断と同様な理由により、相違点３に係る構成を当業者が容易になし得たとはいえない。
　よって、本件発明１は、甲９発明、甲２記載事項、甲３記載事項、甲４記載事項及び周知技術に基いて当業者が容易に発明をすることができたものではない。
　
イ　本件発明２〜９、１２〜１６、１８、及び２１〜２３について（理由１−２）
　本件発明２〜９、１２〜１６、１８、及び２１〜２３は、本件発明１の発明特定事項を全て含むものであるから、本件発明１と同様の理由により、本件発明２〜９、１２〜１６、１８、及び２１〜２３は、甲９発明、甲２記載事項、甲３記載事項、甲４記載事項及び周知技術に基いて当業者が容易に発明をすることができたものではない。
　
ウ　本件発明１０について（理由２−２）
　本件発明１０は、本件発明１の発明特定事項を全て含むものであるから、本件発明１と同様の理由により、本件発明１０は、甲９発明、甲２記載事項、甲３記載事項及び周知技術に基いて当業者が容易に発明をすることができたものではない。
　
エ　本件発明１１について（理由３−２）
　本件発明１１は、本件発明１の発明特定事項を全て含むものであるから、本件発明１と同様の理由により、本件発明１１は、甲９発明、甲２記載事項、甲４記載事項及び周知技術に基いて当業者が容易に発明をすることができたものではない。
　
オ　本件発明１７について（理由４−２）
　本件発明１７は、本件発明１の発明特定事項を全て含むものであるから、本件発明１と同様の理由により、本件発明１１は、甲９発明、甲３記載事項、甲４記載事項及び周知技術に基いて当業者が容易に発明をすることができたものではない。
　
カ　本件発明１９及び２０について（理由５−２）
　本件発明１９及び２０は、本件発明１の発明特定事項を全て含むものであるから、本件発明１と同様の理由により、本件発明１９及び２０は、甲９発明、甲３記載事項、甲４記載事項、甲１０記載事項及び周知技術に基いて当業者が容易に発明をすることができたものではない。
　
キ　本件発明２４について（理由６−２）
　本件発明２４と甲９発明とを対比すると、少なくとも以下の点で相違する。
　
＜相違点４＞本件発明２４は、パックの「２つの大きい平面パネル部の少なくとも一方に、その外表面から外側に突出する互いに間隔をおいて配置された複数の突起を形成するステップと、前記パックが喫煙品で充填された後に外側包装材内に前記パックを包装するステップと、熱を利用して前記パック上の前記外側包装材を密封するステップであって、前記外側包装材は、前記複数の突起によって前記外表面との間に隙間を介する、ステップとを含み、前記突起が規則的配列に配置されており、前記突起が略円形の凸形状」であるのに対して、甲９発明は、広い側壁８に設けられているマーキング１５がエンボス加工した要素を含むものの、そのような突起や外側包装材を有さない点。　
　
　相違点４を検討する。相違点４は、上記（１）キの相違点２と実質的に同じであるから、相違点２の判断と同様な理由により、相違点４に係る構成を当業者が容易になし得たとはいえない。
　よって、本件発明２４は、甲９発明、甲１記載事項、甲２記載事項、甲３記載事項、甲４記載事項及び周知技術に基いて当業者が容易に発明をすることができたものではない。
　
（３）甲３発明を主たる引用例とする理由について
ア　本件発明１について（理由１−３）
　本件発明１と甲３発明とを対比すると、少なくとも以下の点で相違する。
　
＜相違点５＞本件発明１は、パックの２つの大きい平面パネルの少なくとも一方に設けられた突起によって前記パックの前記１つ以上のパネルの表面との間に隙間を介した外側包装材をさらに備えたものであるのに対して、甲３発明は、外側包装材を備えておらず、前部の平面パネルに配置された突起と外装包装材との間に間隙を有するものではない点。　
　
　相違点５を検討する。パックの２つの大きい平面パネルの少なくとも一方に設けられた突起によって前記パックの前記１つ以上のパネルの表面との間に隙間を介した外側包装材をさらに備えた点は、甲３に記載されていないし、その点が周知であることを示す証拠は、示されていない。
　そして、本件発明１は、相違点５に係る構成を有することにより、「本発明のパックでは、突起１８が、包装材をパネルの表面から浮かせて、それらの間に空隙を形成」し、「パック内部に収容された喫煙品に伝わる熱も減少し、熱により、パックに収容された喫煙品の品質に何らかの悪影響が及ぼされることは著しく制限される。」（本件特許明細書【００４４】）という作用効果を奏するものである。
　よって、本件発明１は、甲３発明及び周知技術に基いて当業者が容易に発明をすることができたものではない。
　
イ　本件発明２〜９、１２〜１８、及び２１〜２３について（理由１−３、４−３）
　本件発明２〜９、１２〜１８、及び２１〜２３は、本件発明１の発明特定事項を全て含むものであるから、本件発明１と同様の理由により、本件発明２〜９、１２〜１８、及び２１〜２３は、甲３発明及び周知技術に基いて当業者が容易に発明をすることができたものではない。
　
ウ　本件発明１９及び２０について（理由５−３）
　本件発明１９及び２０は、本件発明１の発明特定事項を全て含むものであるから、本件発明１と同様の理由により、本件発明１９及び２０は、甲３発明、甲１記載事項、甲９記載事項、甲１１記載事項、甲１２記載事項及び周知技術に基いて当業者が容易に発明をすることができたものではない。
　
エ　本件発明２４について（理由６−３）
　本件発明２４と甲３発明とを対比すると、少なくとも以下の点で相違する。
　
＜相違点６＞本件発明２４は、「パックが喫煙品で充填された後に外側包装材内に前記パックを包装するステップと、熱を利用して前記パック上の前記外側包装材を密封するステップであって、前記外側包装材は、前記複数の突起によって前記外表面との間に隙間を介する、ステップとを含」むものであるのに対して、甲３発明は、外側包装材を備えておらず、前部の平面パネルに配置された突起と外装包装材との間に間隙を有するものではない点。
　
　相違点６を検討する。パックが喫煙品で充填された後に外側包装材内に前記パックを包装するステップと、熱を利用して前記パック上の前記外側包装材を密封するステップであって、前記外側包装材は、前記複数の突起によって前記外表面との間に隙間を介する、ステップすべてを含む点は、甲１〜甲４に記載されていないし、その点が周知であることを示す証拠は、示されていない。
　そして、本件発明２４は、相違点６に係る構成を有することにより、「本発明のパックでは、突起１８が、包装材をパネルの表面から浮かせて、それらの間に空隙を形成」し、「パック内部に収容された喫煙品に伝わる熱も減少し、熱により、パックに収容された喫煙品の品質に何らかの悪影響が及ぼされることは著しく制限される。」（本件特許明細書【００４４】）という作用効果を奏するものである。
　よって、本件発明２４は、甲３発明、甲１記載事項、甲２記載事項、甲３記載事項、甲４記載事項及び周知技術に基いて当業者が容易に発明をすることができたものではない。
　
（４）　小括　
　以上のとおり、本件発明１〜２４は、上記（１）〜（３）に述べたように、特許法第２９条第２項の規定に違反するものではなく、本件発明１〜２４に係る特許は、特許法第１１３条第２号に該当するものではない。
　
６．むすび
　したがって、特許異議の申立ての理由及び証拠によっては、請求項１〜２４に係る特許を取り消すことはできない。　
　また、他に請求項１〜２４に係る特許を取り消すべき理由を発見しない。
　よって、結論のとおり決定する。
【異議決定日】
平成３０年２月１５日（２０１８．２．１５）